(57)【要約】【課題】使用者が容易に前面グリルを開閉できるとともに、前面グリルを安定的に支持できる空気調和機を提供する。【解決手段】前面が開放された本体と、前記本体の前面に結合される前面パネルと、前記前面パネルの前面に結合されて前記前面パネルの前面を開閉する前面グリルとを含む空気調和機において、前記前面グリルの後面に形成される結合部材と、前記結合部材が結合されてスライディングされるように、前記前面パネルに形成される結合ホールと、前記結合部材が前記結合ホールに結合されるか、前記結合部材が前記結合ホールから分離されるように前記結合ホールの一部を開閉する開閉部材とを含んだ空気調和機を提供する。【選択図】図５
2008070104.tif 000002
【特許請求の範囲】
【請求項１】
前面が開放された本体と、前記本体の前面に結合される前面パネルと、前記前面パネルの前面に結合されて前記前面パネルの前面を開閉する前面グリルとを含む空気調和機において、
前記前面グリルの後面に形成される結合部材と、前記結合部材が結合されてスライディングされるように、前記前面パネルに形成される結合ホールと、前記結合部材が前記結合ホールに結合されるか、前記結合部材が前記結合ホールから分離されるように前記結合ホールの一部を開閉する開閉部材と、を含むことを特徴とする空気調和機。
【請求項２】
前記結合部材は、前記前面グリルの背面から後側に延長されるリブと、前記リブの端部から横方向に延長される係止片と、を備えることを特徴とする請求項１に記載の空気調和機。
【請求項３】
前記結合ホールは、前記係止片が通過するように形成された通過ホールと、前記通過ホールの一側から上方向に延長され、前記リブが上下方向にスライディングするように案内するガイドホールと、前記ガイドホールの一側から左右方向に延長され、前記結合部材が挿入されたとき、前記前面グリルを前記前面パネルに閉鎖状態で固定させるための閉鎖固定ホールと、を含むことを特徴とする請求項２に記載の空気調和機。
【請求項４】
前記通過ホールと前記閉鎖固定ホールとの間には、その一側のみが前記前面パネルに弾性的に支持される弾性片が設置され、前記弾性片には、前記閉鎖固定ホールに挿入された前記結合部材を係止状態に維持するための係止突起が形成されることを特徴とする請求項３に記載の空気調和機。
【請求項５】
前記結合ホールは、前記ガイドホールの下側に延長され、前記結合部材が挿入されたとき、前記前面グリルを前記前面パネルに開放状態で固定させるための開放固定ホールをさらに含むことを特徴とする請求項３に記載の空気調和機。
【請求項６】
前記前面パネルには、前記開放固定ホールに前記リブが挿入されたとき、前記前面グリルが前記前面パネルから離脱されないように前記係止片を係止する係止部が形成されることを特徴とする請求項５に記載の空気調和機。
【請求項７】
前記開閉部材は、前記前面パネルから上下方向にスライディング可能に支持される本体部と、前記本体部の一側から延長されて使用者によって把持される取っ手部と、前記本体部の他側に延長され、前記本体部のスライディングによって前記結合ホールの一部を開閉する開閉部と、を備えることを特徴とする請求項１に記載の空気調和機。
【請求項８】
前面が開放された本体と、前記本体の前面に結合される前面パネルと、前記前面パネルの前面に結合されて前記前面パネルの前面を開閉する前面グリルとを含む空気調和機において、
前記前面グリルの後面に形成される結合部材と；
前記結合部材が通過するように設けられた通過ホールと、前記結合部材が挿入されて上下方向にスライディングするように案内するガイドホールと、前記前面グリルが閉鎖状態及び開放状態で固定されるように前記結合部材を固定する複数個の固定ホールとを備えており、前記前面パネルに形成される結合ホールと；
前記前面グリルが前記前面パネルに結合されるか、前記前面グリルが前記前面パネルから分離されるように前記通過ホールを開閉する開閉部材と；を含むことを特徴とする空気調和機。
【請求項９】
前記開閉部材は、前記前面パネルから上下方向にスライディング可能に支持される本体部と、前記本体部の一側から延長されて使用者によって把持される取っ手部と、前記本体部の他側に延長され、前記本体部のスライディングによって前記結合ホールの一部を開閉する開閉部と、を備えることを特徴とする請求項８に記載の空気調和機。
【発明の詳細な説明】
【技術分野】
【０００１】
本発明は、空気調和機に関するもので、一層詳細には、使用者が容易に前面グリルを開閉できるとともに、前面グリルが開放状態でも安定的に支持される空気調和機に関するものである。
【背景技術】
【０００２】
特許文献１には、壁掛け型空気調和機の室内機（以下、‘空気調和機’という。）が開示されている。前記空気調和機は、前面が開放された本体と、開放された本体の前面に取り付けられる前面パネルとから構成されてボックス状の外観をなす。前面パネルの前面には、室内空気を本体に吸入するための吸入口を備えた前面グリルが開閉可能に結合されている。
【０００３】
前面パネルの上端部には、前面グリルに備わった吸入口と一緒に、室内空気を本体に吸入するための吸入口が備わっており、前面パネルの下端部には、熱交換器及び送風ファンを経て熱交換された空気を再び室内空間に排出させるための吐出口が備わっている。
一方、本体には、前面パネルの上端部に吸入される空気を浄化するためのフィルタが装着されるが、空気調和機を使用すると、汚染物質がフィルタに多く蓄積されるので、フィルタを本体から分離して掃除しなければならない。
また、フィルタを本体から分離するとき、前面グリルを所定角度だけ回動させた後、フィルタを本体から分離すべきであった。フィルタを容易に分離するために前面グリルを所定角度だけ回動させると、前面グリルが前面パネルの前方を開放した状態で固定される。このように、前面グリルが所定角度で開放された状態で固定されるように、前面パネルにはヒンジ部材が形成され、前面グリルには結合部材が形成される。
しかしながら、前面グリルを開放状態で固定するために、使用者は、ヒンジ部材が結合部材に係止されるように力を加えるべきであり、前面グリルの固定動作を行うのに不便であった。
【０００４】
さらに、近来は、前面グリルに装飾用ガラスなどが付着されることで、前面グリルの重さが重くなっているが、前面グリルの回動によって前面パネルの前方が開放されるので、前面グリルに作用する重力がヒンジ部材と結合部材との係止力より大きくなると、前面グリルが再び閉鎖されるか、前面グリルが前面パネルから離脱されるという問題点が生じる。
【特許文献１】大韓民国公開特許公報２００４―４１４４４号
【発明の開示】
【発明が解決しようとする課題】
【０００５】
本発明は、上記のような問題点を解決するためになされたもので、その目的は、使用者が容易に前面グリルを開閉できる空気調和機を提供することにある。
本発明の他の目的は、前面グリルを安定的に支持できる空気調和機を提供することにある。
【課題を解決するための手段】
【０００６】
上記の目的を達成するための本発明に係る空気調和機は、前面が開放された本体と、前記本体の前面に結合される前面パネルと、前記前面パネルの前面に結合されて前記前面パネルの前面を開閉する前面グリルとを含む空気調和機において、前記前面グリルの後面に形成される結合部材と、前記結合部材が結合されてスライディングされるように、前記前面パネルに形成される結合ホールと、前記結合部材が前記結合ホールに結合されるか、前記結合部材が前記結合ホールから分離されるように前記結合ホールの一部を開閉する開閉部材とを含む。
【０００７】
また、前記結合部材は、前記前面グリルの背面から後側に延長されるリブと、前記リブの端部から横方向に延長される係止片とを備える。
また、前記結合ホールは、前記係止片が通過するように形成された通過ホールと、前記通過ホールの一側から上方向に延長され、前記リブが上下方向にスライディングするように案内するガイドホールと、前記ガイドホールの一側から左右方向に延長され、前記結合部材が挿入されたとき、前記前面グリルを前記前面パネルに閉鎖状態で固定させるための閉鎖固定ホールとを含む。
【０００８】
また、前記通過ホールと前記閉鎖固定ホールとの間には、その一側のみが前記前面パネルに弾性的に支持される弾性片が設置され、前記弾性片には、前記閉鎖固定ホールに挿入された前記結合部材を係止状態に維持するための係止突起が形成される。
また、前記結合ホールは、前記ガイドホールの下側に延長され、前記結合部材が挿入されたとき、前記前面グリルを前記前面パネルに開放状態で固定させるための開放固定ホールをさらに含む。
【０００９】
また、前記前面パネルには、前記開放固定ホールに前記リブが挿入されたとき、前記前面グリルが前記前面パネルから離脱されないように前記係止片を係止する係止部が形成される。
【００１０】
また、前記開閉部材は、前記前面パネルから上下方向にスライディング可能に支持される本体部と、前記本体部の一側から延長されて使用者によって把持される取っ手部と、前記本体部の他側に延長され、前記本体部のスライディングによって前記結合ホールの一部を開閉する開閉部とを備える。
【００１１】
また、本発明に係る空気調和機は、前面が開放された本体と、前記本体の前面に結合される前面パネルと、前記前面パネルの前面に結合されて前記前面パネルの前面を開閉する前面グリルとを含む空気調和機において、前記前面グリルの後面に形成される結合部材と；前記結合部材が通過するように設けられた通過ホールと、前記結合部材が挿入されて上下方向にスライディングするように案内するガイドホールと、前記前面グリルが閉鎖状態及び開放状態で固定されるように前記結合部材を固定する複数個の固定ホールとを備えており、前記前面パネルに形成される結合ホールと；前記前面グリルが前記前面パネルに結合されるか、前記前面グリルが前記前面パネルから分離されるように前記通過ホールを開閉する開閉部材と；を含む。
【００１２】
また、前記開閉部材は、前記前面パネルから上下方向にスライディング可能に支持される本体部と、前記本体部の一側から延長されて使用者によって把持される取っ手部と、前記本体部の他側に延長され、前記本体部のスライディングによって前記結合ホールの一部を開閉する開閉部とを備える。
【発明の効果】
【００１３】
本発明に係る空気調和機によれば、前面グリルが前面パネルで上下方向にスライディングされるように結合されて前面グリルを開閉するので、使用者が容易に前面グリルを開閉できるという効果がある。
【００１４】
また、前面グリルに形成された結合部材が、前面パネルに形成された開放固定ホールに挿入されると、前面グリルの自重によって前面グリルが開放状態で固定されることで、前面グリルが前面パネルから離脱されないので、前面グリルを一層安定的に支持できるという効果がある。
【発明を実施するための最良の形態】
【００１５】
以下、本発明の好適な一実施例に係る空気調和機を、添付の図面に基づいて詳細に説明する。
【００１６】
図１及び図２に示すように、本発明の一実施例に係る空気調和機は、前面が開放された本体１０と、開放された本体１０の前面に結合される前面パネル２０とを備えて全体的にボックス状の外観をなしている。
【００１７】
前面パネル２０の上部面には、その一部が開放されることで、空気を吸入するための吸入口２１が形成され、前面パネル２０の下端部には、本体１０の内部で熱交換された空気を排出させるための吐出口２５が形成される。
【００１８】
前面パネル２０の上部面内側には、吸入口２１から吸入される空気中の埃などの汚染物質をろ過するためのフィルタ２２が設置される。前面パネル２０の後方には、室内空気を吸入するための送風ファン２３と、室内空気を熱交換するための熱交換器２４が設けられており、室内空気の吸入後、冷房または暖房のための熱交換が行われる。
【００１９】
前面パネル２０の前面上部には、前面パネル２０に設置されるフィルタ２２を前後方向にスライディングさせることで、フィルタ２２を前面パネル２０に着脱するためのフィルタ挿入口２６が形成される。前面パネル２０の前面には、外観をなすもので、前面パネル２０で上下方向にスライディングしてフィルタ挿入口２６を開閉する前面グリル３０が結合される。このように、前面グリル３０が前面パネル２０で上下方向にスライディングして前面パネル２０を開閉できるように、スライド装置４０が設置される。
【００２０】
スライド装置４０は、前面グリル３０の背面両側に一体に形成される複数個の結合部材５０と、前面グリル３０が前面両側に形成され、結合部材５０が挿入されてスライディングする複数個の結合ホール６０とを備えている。
【００２１】
図３は、前面グリル３０の一側に形成された結合部材５０の構造を拡大して示した図で、図４は、結合部材５０に対応して前面パネル２０の一側に形成された結合ホール６０の構造を拡大して示した図である。ここで、結合部材５０と結合ホール６０は、前面グリル３０と前面パネル２０の両側で同一構造で形成されるので、前面グリル３０及び前面パネル２０の一側に設けられた結合部材５０と結合ホール６０に対してのみ説明することにする。
【００２２】
図３に示すように、結合部材５０は、前面グリル３０の上部に形成された第１結合部材５０ａと、前面グリル３０の下部に形成された第２結合部材５０ｂとを備えており、第１及び第２結合部材５０ａ，５０ｂは、前面グリル３０の背面から後側に延長されるリブ５１ａ，５１ｂと、リブ５１ａ，５１ｂの一端から横方向に延長される係止片５２ａ，５２ｂとをそれぞれ備えている。
【００２３】
図４に示すように、結合部材５０が結合される結合ホール６０は、前面パネル２０の上部に形成された第１結合ホール６０ａと、前面パネル２０の下部に形成された第２結合ホール６０ｂとを備えている。
【００２４】
第１及び第２結合ホール６０ａ，６０ｂは、第１及び第２結合部材５０ａ，５０ｂの係止片５２ａ，５２ｂがそれぞれ通過するように形成された通過ホール６１ａ，６１ｂと、通過ホール６１ａ，６１ｂの左側で上方向に延長され、各結合部材５０ａ，５０ｂが挿入状態で上下方向にスライディングするように案内するガイドホール６２ａ，６２ｂと、ガイドホール６２ａ，６２ｂに沿って上方向にスライディングされた各結合部材５０ａ，５０ｂが右側に移動することで、各結合部材５０ａ，５０ｂが挿入された状態で各リブ５１ａ，５１ｂを固定し、前面グリル３０を閉鎖状態に維持するための閉鎖固定ホール６３ａ，６３ｂとをそれぞれ備えている。
【００２５】
各通過ホール６１ａ，６１ｂと各閉鎖固定ホール６３ａ，６３ｂとの間には、一側面のみが前面パネル２０に支持されて弾性的に変形する弾性片６５，６６がそれぞれ設置される。前面パネル２０の上部に設置される第１弾性片６５の上部には、第１結合部材５０ａが、第１結合ホール６０ａに形成された閉鎖固定ホール６３ａに挿入された状態で係止突起６５ａによって固定される。
【００２６】
前面パネル２０の下部に設置される第２弾性片６６の後面は、凸状に突出しており（図５を参考）、第２結合部材５０ｂが上下方向にスライディングされるとき、第２結合部材５０ｂの係止片５２ｂが弾性を受けるようになる。その結果、使用者が前面グリル３０を上下方向にスライディングさせるとき、前面グリル３０がスムーズにスライディングされる。
【００２７】
また、第１及び第２結合ホール６０ａ，６０ｂは、ガイドホール６２ａ，６２ｂの下側に延長され、前面グリル２０が下側にスライディングされたとき、結合部材５０ａ，５０ｂの挿入によって前面グリル３０を前面パネル２０に開放状態で固定させるための開放固定ホール６８ａ，６８ｂをそれぞれ備えている。
【００２８】
一方、前面パネル２０には、開放固定ホール６８ａ，６８ｂに各結合部材５０ａ，５０ｂが挿入されたとき、前面グリル３０が前面パネル２０から離脱されないように係止片５２ａ，５２ｂを係止する係止部６７ａ，６７ｂが形成されている。
また、前面パネル２０には、前面グリル３０が前面パネル２０に着脱されるように第１結合ホール６０ａの一部を開閉する開閉部材７０が設置される。
【００２９】
開閉部材７０は、前面パネル２０で上下方向にスライディングするように結合される本体部７１と、本体部７１の上側に延長されて使用者によって把持される取っ手部７２と、本体部７１の下側に延長され、本体部７１の下側へのスライディングによって、第１結合ホール６０ａの一部を形成する通過ホール６１ａを開閉する開閉部７３とを備えている。
このような開閉部材７０が上下方向にスライディングできるように、前面パネル２０には開閉部材装着ホール６４が形成されている。
【００３０】
以下、上述した空気調和機に設置されるスライド装置４０の動作に対して説明する。
図５は、前面グリル３０が前面パネル２０に装着されて前面パネル２０の前面を閉鎖している状態で、スライド装置４０を後側から見た斜視図である。
【００３１】
通常、前面グリル３０が前面パネル２０の前面を完全に閉鎖した状態で、空気調和機の前面の外観をなしている。
【００３２】
前面グリル３０が前面パネル２０を完全に閉鎖した状態では、第１及び第２結合部材５０ａ，５０ｂのリブ５１ａ，５１ｂは、閉鎖固定ホール６３ａ，６３ｂに挿入されて弾性片６５，６６によってそれぞれ支持される。一方、第１及び第２結合部材５０ａ，５０ｂの係止片５２ａ，５２ｂは、前面パネル２０の後面に支持されるので、前面グリル３０が前面パネル２０から離脱されない。
【００３３】
また、閉鎖固定ホール６３ａに挿入された第１リブ５１ａは、係止突起６５ａに係止されているので、所定の力が与えられない限り、第１リブ５１ａが閉鎖固定ホール６３ａから離脱されなく、前面グリル３０が前面パネル２０の前面を閉鎖した状態で固定される。
図６は、前面グリル３０が前面パネル２０で下側にスライディングされるように、第１及び第２リブ５１ａ，５１ｂがガイドホール６２ａ，６２ｂの上部に位置した状態を示した図である。
【００３４】
空気調和機のフィルタ２２に埃が積もると、使用者は、フィルタ２２を掃除または交替するために、フィルタ２２が挿入されるフィルタ挿入口２６を開放すべきである。前面パネル２０の上部に形成されたフィルタ挿入口２６を開放するためには、前面グリル３０を下側に移動させるべきである。
【００３５】
また、前面グリル３０を下側に移動させるためには、第１リブ５１ａが閉鎖固定ホール６３ａから離脱されるべきである。第１リブ５１ａが閉鎖固定ホール６３ａから離脱されるように使用者が前面グリル３０を側方向に押すと、第１弾性片６５が下側に押されることで、第１リブ５１ａは、係止突起６５ａを越えてガイドホール６２ａに位置するようになる。
【００３６】
図７は、前面グリル３０が前面パネル２０で下側にスライディングされたとき、第１及び第２リブ５１ａ，５１ｂが開放固定ホール６８ａ，６８ｂに挿入・固定された状態を示した図である。
【００３７】
図６に示した状態で前面グリル３０を下側にスライディングさせると、第１及び第２リブ５１ａ，５１ｂは、ガイドホール６２ａ，６２ｂにそれぞれ案内されて下側に移動し、開放固定ホール６８ａ，６８ｂにそれぞれ挿入されて支持される。前面グリル３０が自重を受けるので、第１及び第２リブ５１ａ，５１ｂが開放固定ホール６８ａ，６８ｂにそれぞれ挿入されると、使用者が前面グリル３０を押し上げない限り、第１及び第２リブ５１ａ，５１ｂが開放固定ホール６８ａ，６８ｂから離脱されることはない。
【００３８】
また、第１及び第２リブ５１ａ，５１ｂが開放固定ホール６８ａ，６８ｂにそれぞれ挿入されると、第１係止片５２ａは開閉部材７０の開閉部７３及び係止部６７ａに係止されて離脱されなく、第２係止片５２ｂは係止部６７ｂに係止されて離脱されないので、前面グリル３０が前面パネル２０で開放状態で固定される。
【００３９】
一方、第２弾性片６６は、前面グリル３０が下側にスライディングするとき、第２係止片５２ｂを弾性的に支持するので、前面グリル３０が急速に下側にスライディングされることが防止され、前面グリル３０はスムーズにスライディングされる。
上記のように前面グリル３０が下側にスライディングされて固定されると、前面パネル２０の上部に形成されたフィルタ挿入口２６が開放されるので、使用者は、フィルタ挿入口２６を通してフィルタ２２を着脱することができる。
【００４０】
図８は、前面グリル３０が前面パネル２０から完全に分離された状態を示した図である。
本体１０に設置された各種の装置を修理するためには、前面パネル２０の前面が完全に開放されるように前面グリル３０を前面パネル２０から分離すべきである。
前面グリル３０を前面パネル２０から分離するために、使用者が開閉部材７０を上側にスライディングさせると、通過ホール６１ａを塞いでいた開閉部７３が第１弾性片６５の後側に位置することで、通過ホール６１ａが開放されるようになる。
【００４１】
上記のように通過ホール６１ａが開放された状態では、第１及び第２結合部材５０ａ，５０ｂの係止片５２ａ，５２ｂを通過ホール６１ａ，６１ｂを通して取り出すことができるので、前面グリル３０を前面パネル２０から分離することができる。
【図面の簡単な説明】
【００４２】
【図１】本発明の一実施例に係る空気調和機の斜視図である。
【図２】図１に示した空気調和機の断面図である。
【図３】図１に示した空気調和機の前面グリルの背面一部を拡大した斜視図である。
【図４】図１に示した空気調和機の前面パネルの正面一部を拡大した斜視図である。
【図５】前面グリルが前面パネルを閉鎖している状態での前面パネルの後面一部を拡大した斜視図である。
【図６】前面グリルが前面パネルで上下方向にスライディングしはじめるときの前面パネルの後面一部を拡大した斜視図である。
【図７】前面グリルが前面パネルの上部を開放した状態での前面パネルの後面一部を拡大した斜視図である。
【図８】前面グリルが前面パネルから完全に離脱した後の前面パネルの後面一部を拡大した斜視図である。
【符号の説明】
【００４３】
１０  本体
２０  前面パネル
２２  フィルタ
２６  フィルタ挿入口
３０  前面グリル
４０  スライド装置
５０  結合部材
６０  結合ホール
６１ａ，６１ｂ  通過ホール
６２ａ，６２ｂ  ガイドホール
６３ａ，６３ｂ  閉鎖固定ホール
６５，６６  弾性片
６５ａ  係止突起
６８ａ，６８ｂ  開放固定ホール
７０  開閉部材
７３  開閉部
【図１】
2008070104.tif 000003
【図２】
2008070104.tif 000004
【図３】
2008070104.tif 000005
【図４】
2008070104.tif 000006
【図５】
2008070104.tif 000007
【図６】
2008070104.tif 000008
【図７】
2008070104.tif 000009
【図８】
2008070104.tif 000010